(57)【特許請求の範囲】
【請求項１】
船体後部の幅方向中央に推進機を配置し、該推進機の下方を覆うように船体に取り付けられた船体板を挟むよう、該推進機の左右に位置して船底の後端部に左右一対のプレート部材を取り付けて成る小型船舶において、前記船底の後端部には、側方に向かうほど高くなるとともに前記船底の左右の縁まで延びる傾斜面をそれぞれ備える凹部が左右両側に設けられ、さらに前記船体における前記各傾斜面の外側は屈曲して上方に立ち上がり、前記各プレート部材は前記傾斜面にそれぞれ沿うようにして前記凹部に嵌め込まれ、前記各プレート部材の船体側方に向かって延伸する前端面と船体との間に隙間を形成し、前記各プレート部材の前方に位置する前記隙間をその延伸方向に位置する上端部にて船体側方に開口せしめ、船体の滑走中は前記隙間の前記上端部が大気と連通することを特徴とする小型船舶の船底構造。
【請求項２】
前記各プレート部材の底面に複数の溝を前後方向に貫設したことを特徴とする請求項１記載の小型船舶の船底構造。
【請求項３】
前記隙間に孔を開口せしめ、該孔に接続されたホースを介して隙間を大気に連通させたことを特徴とする請求項１又は２記載の小型船舶の船底構造。
【発明の詳細な説明】
【０００１】
【発明の属する技術分野】
本発明は、船体後部の幅方向中央に推進機を配置し、該推進機の左右に位置して船底に左右一対のプレート部材を取り付けて成る小型船舶の船底構造に関する。
【０００２】
【従来の技術】
例えば、小型滑走艇は船体後部の幅方向中央に配されたジェット推進機が発生する推力によって水上を滑走するが、図１１に示すように、不図示のジェット推進機を下方から覆う船底板１２１が船体１０２に固定され、この船底板１２１の左右、即ちジェット推進機の左右に位置して船底には左右一対の矩形平板状のステッププレート１１６（図１１には一方のみ図示）が取り付けられている。
【０００３】
【発明が解決しようとする課題】
ところが、上記小型滑走艇等の小型船舶における従来の船底構造にあっては、小型船舶の航走中に水が左右のステッププレート１１６の全面に接触する状態で流れるため、各ステッププレート１１６と水との摩擦抵抗が大きく、損失動力が大きくなるという問題があった。
【０００４】
本発明は上記課題に鑑みてなされたもので、その目的とする処は、船底のプレート部材と水との摩擦抵抗に伴う損失動力を小さく抑えることができる小型船舶の船底構造を提供することにある。
【０００５】
【課題を解決するための手段】
上記目的を達成するため、請求項１記載の発明は、船体後部の幅方向中央に推進機を配置し、該推進機の左右に位置して船底に左右一対のプレート部材を取り付けて成る小型船舶において、前記各プレート部材の前端面と船体との間に隙間を形成し、該隙間を船体側方に開口せしめたことを特徴とする。
【０００６】
請求項２記載の発明は、請求項１記載の発明において、前記各プレート部材の底面に複数の溝を前後方向に貫設したことを特徴とする。
【０００７】
請求項３記載の発明は、請求項１又は２記載の発明において、前記隙間に孔を開口せしめ、該孔に接続されたホースを介して隙間を大気に連通させたことを特徴とする。
【０００８】
従って、請求項１記載の発明によれば、船底の各プレート部材の前端面と船体との間に形成された隙間は船体側方に開口するため、船底を水が流れることによって隙間に発生する負圧によって大気中の空気が、船体側方に向かって開口する開口部を通って隙間に吸引され、この空気は隙間からプレート部材の底面に沿って後方へと流れて水を排除する。この結果、プレート部材と水との接触が空気によって抑制され、プレート部材と水との摩擦抵抗に伴う損失動力が小さく抑えられる。
【０００９】
請求項２記載の発明によれば、各プレート部材の底面に前後方向に貫設された複数の溝によって各プレート部材の底面への水の接触面積を調整することができ、プレート部材と水との摩擦抵抗を制御することができる。
【００１０】
請求項３記載の発明によれば、隙間に発生する負圧によって大気中の空気がホースから隙間に吸引されるため、この空気によってもプレート部材と水との接触が抑制されてプレート部材と水との摩擦抵抗に伴う損失動力が小さく抑えられる。
【００１１】
【発明の実施の形態】
以下に本発明の実施の形態を添付図面に基づいて説明する。
【００１２】
＜実施の形態１＞
図１は本発明に係る船底構造を備える小型滑走艇の側面図、図２は同小型滑走艇の平面図である。
【００１３】
図１及び図２に示す小型滑走艇１は、断面略Ｖ字形のハル２ａとその上部に被着されたデッキ２ｂを接合一体化して成る船体２を有しており、該船体２のハル２ａの前後方向略中央部には駆動源である２サイクルエンジン３が搭載されている。そして、エンジン３の前方（図１及び図２の矢印Ｆ方向）には燃料タンク４が配されており、エンジン３、燃料タンク４等の上方はハッチカバー５とカバー部材６によって覆われており、エンジン３の上方に位置してデッキ２ｂの上面にはステアリングハンドル７が設けられている。
【００１４】
又、船体２を構成するデッキ２ｂの前記ステアリングハンドル７の前方には左右一対の吸気ダクト（ベンチレーションホース）８の上端が開口しており、ステアリングハンドル７の後方にはシート９が着脱自在に配され、該シート９の後部下方には収納ボックス１０が配設されている。尚、各吸気ダクト８は船体２内を大気に連通させて前記エンジン３への吸気の供給と船体２内の換気を行うためのものである。
【００１５】
一方、船体２の後端部であって、船体２の幅方向中央部にはジェット推進機１１が配置されており、前記エンジン３のクランク軸１２の後端には船体２の幅方向中央に前後方向に延びるインペラ軸１３の前端がカップリング１４によって連結されている。そして、このインペラ軸１３はジェット推進機１１内に導入され、その後端部にはジェット推進機１１のインペラハウジング１１ａ（図４参照）に内蔵された不図示のインペラが取り付けられている。尚、ジェット推進機１１の後端部には、前記ステアリングハンドル７の操舵操作によってその方向が左右に変化する操向ノズル１５が揺動自在に取り付けられている。
【００１６】
ところで、船体２のハル２ａの後端部を凹入して形成したポンプ室２２（図４参照）内にはジェット推進機１１の後部が収納されており、ポンプ室２２の前壁には前記インペラハウジング１１ａが固定されている。又、ポンプ室２２は下方及び後方に向かって開口しており、下方に向かう開口部はボルト２３にてハル２ａに固定された船体板２１によって閉じられている。尚、図４において、２４は船速を検出するための船速センサである。
【００１７】
ここで、本発明に係る船底構造を図３〜図６に基づいて説明する。尚、図３は小型滑走艇の底面図、図４はステッププレートの取付構造を示す小型滑走艇の部分後断面図、図５は小型滑走艇の船底のステッププレート部分の平面図、図６は図５のＡ−Ａ線断面図である。
【００１８】
図３に示すように、小型滑走艇１の艇体２（ハル２ａ）の底面（船底）には、前記ジェット推進機１１の下方を覆うようにハル２ａに取り付けられたアルミニウム合金製の前記船体板２１を挟んでこれの左右に略矩形状のステッププレート１６が各４本のボルト１７によってそれぞれ取り付けられている（図４及び図５参照）。
【００１９】
上記各ステッププレート１６はアルミダイカスト成型品であって、これには図４に示すように凹状の４つのボス１６ａ（図４には２つのみ図示）が一体に形成されている。
【００２０】
一方、図６に示すように、ハル２ａの後部底面の左右には凹部２ａ−１が形成されており、この凹部２ａ−１の内面には図４に示すようにブラケット１８が当てられている。
【００２１】
而して、各ステッププレート１６は、ハル２ａの後部底面には船底板２１の左右に位置して凹部２ａ−１（図６参照）に平坦面を下にするとともに、凹部２ａ−１前方の船体面と略面一になるようにして嵌め込まれ、これに形成された前記各ボス１６ａに下から挿通するボルト１７を図４に示すように前記ブラケット１８にねじ込むことによってハル２ａに取り付けられる。
【００２２】
ところで、本実施の形態においては、図５及び図６に示すように各ステッププレート１６の前端面とハル２ａの段部との間には幅方向に長い隙間Ｓが形成されており、この隙間Ｓは外側端は艇体２（ハル２ａ）の側方に開口している。
【００２３】
以上の船底構造を有する小型滑走艇１において、エンジン３によってジェット推進機１１が駆動されると、該ジェット推進機１１おいて発生する推力によって当該小型滑走艇１が水上を航走する。
【００２４】
而して、上述のように小型滑走艇１が航走（滑走）している状態では船体２が水面上を滑るように進むため、船底の各ステッププレート１６の前端面と艇体２（ハル２ａ）との間に形成された隙間Ｓは艇体２（ハル２ａ）の側方に向かって大気中に開口することになる。この状態では、船底を水が流れることによって隙間Ｓに負圧が発生するため、この負圧に引かれて大気中の空気が隙間Ｓにおける船体２側方への開口部を通って隙間に吸引され、図６に示すように、この空気は隙間Ｓからステッププレート１６の底面に沿って後方へと流れて水を排除する。この結果、各ステッププレート１６と水との接触が空気によって抑制され、ステッププレート１６と水との摩擦抵抗が小さく抑えられ、この摩擦抵抗に伴う損失動力も小さく抑えられる。
【００２５】
＜実施の形態２＞
次に、本発明の実施の形態２を図７及び図８に基づいて説明する。尚、図７は本実施の形態に係る小型滑走艇の船底のステッププレート部分の平面図、図８は図７のＢ−Ｂ線断面図であり、これらの図においては図５及び図６に示したと同一要素には同一符号を付しており、以下、それらについての説明は省略する。
【００２６】
本実施の形態は、前記実施の形態１の構成に加え、各ステッププレート１６の底面に複数（図示例では３つ）の溝１６ｂを前後方向に貫設したことを特徴とする。
【００２７】
而して、本実施の形態によれば、各ステッププレート１６とその前方のハル２ａとの間に形成された隙間Ｓに吸引された空気は図７に矢印にて示すようにステッププレート１６の底面に形成された複数の溝１６ｂ内を後方に向かって流れて前記実施の形態１と同様に各ステッププレート１６と水との接触を抑制し、ステッププレート１６と水との摩擦抵抗を小さく抑えて該摩擦抵抗に伴う損失動力も小さく抑えられるが、溝１６ｂの数や幅等を変更することによって各ステッププレート１６の底面への水の接触面積を調整することができるため、ステッププレート１６と水との摩擦抵抗を制御することができるという効果が得られる。
【００２８】
＜実施の形態３＞
次に、本発明の実施の形態３を図９及び図１０に基づいて説明する。尚、図９は本実施の形態に係る小型滑走艇の船底のステッププレート部分の平面図、図１０は図９のＣ−Ｃ線断面図であり、これらの図においても図５及び図６に示したと同一要素には同一符号を付しており、以下、それらについての説明は省略する。
【００２９】
本実施の形態は、前記実施の形態１の構成に加え、各ステッププレート１６とハル２ａとの間に形成される隙間Ｓに複数（図示例では３つ）の孔１９を開口せしめ、各孔１９に接続されたホース２０（図１０参照）を介して隙間Ｓを大気に連通させたことを特徴とする。
【００３０】
而して、本実施の形態によれば、各ステッププレート１６とその前方のハル２ａとの間に形成された隙間Ｓには、該隙間Ｓに発生する負圧によって大気中の空気が隙間Ｓにおける船体２側方への開口部とホース２０から同時に吸引されるため、ホース２０から隙間Ｓに吸引される空気によってもステッププレート１６と水との接触が抑制されることとなり、ステッププレート１６と水との摩擦抵抗に伴う損失動力がより効果的に小さく抑えられる。
【００３１】
又、ホース２０の上端をエンジン室内の上部又はデッキ２ｂの上部の何れかに開口させることにより、上端から水がホース２０内に侵入するのを防いで大気を隙間Ｓに確実に供給することができる。
【００３２】
尚、以上は本発明を特に小型滑走艇に対して適用した場合について述べたが、本発明は他の任意の小型船舶に対しても同様に適用可能であることは勿論である。
【００３３】
【発明の効果】
以上の説明で明らかなように、本発明によれば、船体後部の幅方向中央に推進機を配置し、該推進機の左右に位置して船底に左右一対のプレート部材を取り付けて成る小型船舶において、前記各プレート部材の前端面と船体との間に隙間を形成し、該隙間を船体側方に開口せしめたため、船底を水が流れることによって隙間に発生する負圧によって大気中の空気が船体側方に向かって開口する開口部を通って隙間に吸引され、この吸引された空気は隙間からプレート部材の底面に沿って後方へと流れてプレート部材と水との接触を抑制することとなり、これによってプレート部材と水との摩擦抵抗に伴う損失動力が小さく抑えられるという効果が得られる。
【図面の簡単な説明】
【図１】本発明に係る船底構造を備える小型滑走艇の側面図である。
【図２】本発明に係る船底構造を備える小型滑走艇の平面図である。
【図３】本発明に係る船底構造を備える小型滑走艇の底面図である。
【図４】本発明の実施の形態１に係る船底構造におけるステッププレートの取付構造を示す小型滑走艇の部分後断面図である。
【図５】本発明の実施の形態１に係る船底構造を示す小型滑走艇の船底の部分平面図である。
【図６】図５のＡ−Ａ線断面図である。
【図７】本発明の実施の形態２に係る船底構造を示す小型滑走艇の船底の部分平面図である。
【図８】図７のＢ−Ｂ線断面図である。
【図９】本発明の実施の形態３に係る船底構造を示す小型滑走艇の船底の部分平面図である。
【図１０】図９のＢ−Ｂ線断面図である。
【図１１】従来の船底構造を示す小型滑走艇の船底の部分平面図である。
【符号の説明】
１        小型滑走艇（小型船舶）
２        船体
１１      ジェット推進機（推進機）
１６      ステッププレート（プレート部材）
１６ｂ    溝
１９      孔
２０      ホース
Ｓ        隙間
【図１】
0004252690.tif 000002
【図２】
0004252690.tif 000003
【図３】
0004252690.tif 000004
【図４】
0004252690.tif 000005
【図５】
0004252690.tif 000006
【図６】
0004252690.tif 000007
【図７】
0004252690.tif 000008
【図８】
0004252690.tif 000009
【図９】
0004252690.tif 000010
【図１０】
0004252690.tif 000011
【図１１】
0004252690.tif 000012